(57)【要約】【課題】箱体深さの相違に応じ内部機器と外部機器との接続形態を選択採用できるようにして、配線に要する手間とコストを削減し、箱体が深いときでも両者を支障なく接続し得る機器接続収容装置を提供する。【解決手段】表面板部１に取付用開口窓２を有する箱体３と、箱体３の内底部４に取着固定される内部機器５と、内部機器５と接続され取付用開口窓２に取着固定される外部機器６とを備えた機器接続収容装置において、内部機器５の第一コネクタ７に直接接続し得る第二コネクタ８を外部機器６に設け、第一、第二コネクタ７、８を間接接続し得るハーネス９を備え、箱体３の深さ寸法の相違に応じて、第一、第二コネクタ７、８を直接接続する形態と間接接続する形態とを選択的に採用し得るようになした。【選択図】          図１
2004320966.tif 000002
【特許請求の範囲】
【請求項１】
表面板部に取付用開口窓を有する箱体と、この箱体の内底部に取着固定される内部機器と、この内部機器と電気的に接続されて同箱体の表面板部の取付用開口窓に取着固定される外部機器と、を備えた機器接続収容装置であって、内部機器に設けられる第一コネクタと直接に電気的かつ機械的に接続し得る第二コネクタを外部機器に設けると共に、この第一コネクタと第二コネクタとを電気的に接続し得るハーネスを備え、箱体の深さ寸法の相違に応じて、前記第一コネクタ、第二コネクタを直接に接続する形態と、同第一コネクタ、第二コネクタを前記ハーネスを介して接続する形態と、を選択的に採用し得るようになした機器接続収容装置。
【請求項２】
外部機器の表側部位には表示部や操作部等の機能手段が配設されており、同外部機器の表側部位付近の周囲に外側方へ突出した鍔状取付部を形成し、この鍔状取付部よりも前記表側部位を表方へ突設し、同表側部位の外形状を箱体の表面板部の取付用開口窓の開口形状に略合致させたことを特徴とする請求項１記載の機器接続収容装置。
【請求項３】
外部機器の外周側面に鍔状取付部の裏側位置で、箱体の表面板部の取付用開口窓の開口縁部分と係合され得る形状の係止凸部を突設したことを特徴とする請求項２記載の機器接続収容装置。
【請求項４】
第一コネクタ、第二コネクタ以外に、内部機器と外部機器とを直接機械的に接続し得る嵌合手段を両者間に設けたことを特徴とする請求項１〜３のいずれか一つに記載の機器接続収容装置。
【請求項５】
内部機器に開口枠部を形成し、この開口枠部と対向してその内部に嵌合され得る形状の凸枠部を外部機器に形成し、同開口枠部と凸枠部とを嵌合手段として配設したことを特徴とする請求項４記載の機器接続収容装置。
【請求項６】
開口枠部の内周と凸枠部の外周との間に、両者相互の抜け外れを阻止する抜け止め手段を設けたことを特徴とする請求項５記載の機器接続収容装置。
【発明の詳細な説明】
【０００１】
【発明の属する技術分野】
本願発明は、箱体内に収容される内部機器と同箱体の表面に露出して設けられる外部機器とを、電気的に接続してなる機器接続収容装置に関する。
【０００２】
【従来の技術】
図８（ａ）に示す如く、一般の内器装置２５は一体型で箱体３の内部に収容固定され、その表面部分に配設されるＬＥＤ表示部や液晶表示部或いはキー操作部等が同箱体３の外側に露出される。この場合、内器装置２５は箱体３の内底部４に取着固定され、この箱体３の表面板部１に形成される取付用開口窓２から、同内器装置２５の前記ＬＥＤ表示部や液晶表示部或いはキー操作部等の配設された表面部分が突出されている。
【０００３】
ところで、このような内器装置収容構造では、箱体３として深さ寸法の異なるものが数種類品揃えされ、同箱体３には一台乃至複数台の内器装置２５が組み込まれる。通常は、内器装置２５の外形寸法が深さ寸法の最も浅い箱体３の寸法に適合するように設計され、これと異なる深さ寸法のより深い箱体３の内部に同内器装置２５をそのまま収容固定すると、前記ＬＥＤ表示部や液晶表示部或いはキー操作部等は同箱体３の表面板部１の取付用開口窓２よりも奥まって位置することになる。そうなると、表示部が見え難くなったり、操作部を操作し難くなったりするという不都合を生じる。
【０００４】
そこで、前記不都合が生じないよう、図８（ｂ）、図９に示す如く、箱体３の内底部４と内器装置２５との間に支持金具２６を介設することで、この内器装置２５の表面部分を同箱体３の表面板部１に位置合わせするという対策を施していた。しかしながら、この場合、深さ寸法の異なる箱体３毎に支持金具２６を用意する必要があり、複数の支持金具２６を品揃えするための開発費用や、使用する支持金具２６を箱体３毎に選定したりこれを施工したりする手間が増大するという問題を生じるものであった。
【０００５】
一方、ボックス内にハーネス接続して機器を収容固定する技術も、一般によく知られている。例えば、実開平５−１１６０７号公報には、この種の技術を採用したロビーインターホンが示されている。このロビーインターホンでは、図１０に示す如く、内器装置２５が表面の化粧パネル２７と一体化されて埋込ボックス２８内に収容固定されるもので、その際に、この埋込ボックス２８内の端子台２９と同内器装置２５とをハーネス９を介して電気的に接続している。ここでは、ハーネス９として、埋込ボックス２８内の端子台２９に接続されるハーネス９ａと、内器装置２５の裏側から導出されるハーネス９ｂと、が開示されている。
【０００６】
この種の技術を採用すると、任意の深さ寸法の箱体（埋込ボックス２８）に内器装置２５を取着固定する対応が可能となる。しかしながら、この場合、箱体がどのような寸法であっても、常にハーネス９による配線接続作業を必要とするものであり、その作業費やハーネス９その他の配線部品費が増大するという問題を生じるものであった。そこで、特に、施工される使用頻度の高い箱体（例えば、深さ寸法の最も浅い箱体）については、配線作業費や配線部品費を削減することが望まれるものであった。
【０００７】
【特許文献１】
実開平５−１１６０７号公報
【０００８】
【発明が解決しようとする課題】
本願発明は、上記従来の技術に鑑みて発明されたもので、その課題は、内部機器と外部機器とを分けて備え、箱体が浅いときには両者を直接的に接続して配線に要する手間とコストを削減することができ、箱体が深いときには同両者をハーネスを介して支障なく接続することができる機器接続収容装置を提供することである。
【０００９】
【課題を解決するための手段】
上記課題を解決するために、本願発明の機器接続収容装置は、表面板部に取付用開口窓を有する箱体と、この箱体の内底部に取着固定される内部機器と、この内部機器と電気的に接続されて同箱体の表面板部の取付用開口窓に取着固定される外部機器と、を備えた機器接続収容装置であって、内部機器に設けられる第一コネクタと直接に電気的かつ機械的に接続し得る第二コネクタを外部機器に設けると共に、この第一コネクタと第二コネクタとを電気的に接続し得るハーネスを備え、箱体の深さ寸法の相違に応じて、前記第一コネクタ、第二コネクタを直接に接続する形態と、同第一コネクタ、第二コネクタを前記ハーネスを介して接続する形態と、を選択的に採用し得るようになしたものである。
【００１０】
したがって、この場合、箱体の内底部に取着固定される内部機器と、同箱体の表面板部の取付用開口窓に取着固定される外部機器と、を分けて備えており、箱体の深さ寸法が浅いときには、内部機器の第一コネクタに外部機器の第二コネクタを直接に電気的かつ機械的に接続することで、両者を直接的に接続することができるため、機器の組み込み接続作業は簡略化され、箱体内部配線に要する手間とコストが削減される。
【００１１】
又、箱体の深さ寸法が深いときには、内部機器の第一コネクタと外部機器の第二コネクタとをハーネスを介して接続することで、両者を電気的に支障なく接続することができる。このように、箱体の深さ寸法の相違に応じて機器の接続形態を簡単に選択採用することができ、特に、深さ寸法の最も浅い箱体が施工される使用頻度の高いものであると、前記内部機器と外部機器とを直接接続する形態が選択採用されて、箱体内部配線に要する手間とコストは大幅に削減される。
【００１２】
【発明の実施の形態】
図１〜７は、本願請求項１〜６全てに対応した一実施形態である機器接続収容装置を示している。この実施形態の機器接続収容装置は、図１に示す如く、表面板部１に取付用開口窓２を有する箱体３と、この箱体３の内底部４に取着固定される内部機器５と、この内部機器５と電気的に接続されて同箱体３の表面板部１の取付用開口窓２に取着固定される外部機器６と、を備えている。
【００１３】
そして、内部機器５に設けられる第一コネクタ７と直接に電気的かつ機械的に接続し得る第二コネクタ８を外部機器６に設けると共に、この第一コネクタ７と第二コネクタ８とを電気的に接続し得るハーネス９を備えている。この場合、箱体３の深さ寸法の相違に応じて、前記第一コネクタ７、第二コネクタ８を直接に接続する形態（図１（ａ）の箱体３が浅い場合）と、同第一コネクタ７、第二コネクタ８を前記ハーネス９を介して接続する形態（図１（ｂ）の箱体３が深い場合）と、を選択的に採用し得るようになっている。
【００１４】
又、この実施形態の機器接続収容装置では、外部機器６の表側部位１０には表示部１１や操作部１２等の機能手段１３が配設されており、同外部機器６の表側部位１０付近の周囲に外側方へ突出した鍔状取付部１４を形成して、この鍔状取付部１４よりも前記表側部位１０を表方へ突設し、同表側部位１０の外形状を箱体３の表面板部１の取付用開口窓２の開口形状に略合致させている。この場合に、外部機器６の外周側面に鍔状取付部１４の裏側位置で、箱体３の表面板部１の取付用開口窓２の開口縁部分と係合され得る形状の係止凸部１５を突設してもいる。
【００１５】
又、この実施形態の機器接続収容装置では、前記第一コネクタ７、第二コネクタ８以外に、図４、５に示す如く、内部機器５と外部機器６とを直接機械的に接続し得る嵌合手段１６を両者間に設けている。ここでは、内部機器５に開口枠部１７を形成し、この開口枠部１７と対向してその内部に嵌合され得る形状の凸枠部１８を外部機器６に形成し、同開口枠部１７と凸枠部１８とを嵌合手段１６として配設している。この場合に、開口枠部１７の内周と凸枠部１８の外周との間に、両者相互の抜け外れを阻止する抜け止め手段１９を設けてもいる。
【００１６】
以下、この実施形態の機器接続収容装置を、より具体的詳細に説明する。図１に示す如く、箱体３は中空略直方体形状で、合成樹脂等で分割して形成された表側部材３ａと裏側部材３ｂとが結合一体化されて構成されている。箱体３の表側部材３ａでなる表面板部１の中程には略長方形状の取付用開口窓２が開口形成されており、この取付用開口窓２には外部機器６が取着固定される。又、裏側部材３ｂの底板上面である箱体３の内底部４上には、前記外部機器６と対応する位置に内部機器５が取着固定される。
【００１７】
図２に示す如く、内部機器５は横長ブロック形状でその長手方向両端にその裏面側で取付片部２０が一体に突設されており、この両取付片部２０は前記箱体３の内底部４上にビス等の固定具で固着され、これによりこの内底部４に対して同内部機器５が取着固定される。又、内部機器５の表面側にはその周囲を囲むようにして後述の嵌合手段１６となる平面視横長略長方形状の開口枠部１７が表方へ一体に突設されており、この開口枠部１７には後述の抜け止め手段１９となる周方向で複数の係止孔２１が配置穿設されている。そして、開口枠部１７で囲まれた範囲内でこの開口枠部１７の内側に近接するように、第一コネクタ７が内部機器５の表面に設けられており、この第一コネクタ７は横長状で雌型のコネクタである。なお、ここでの内部機器５は、入出力配線接続用機器である。
【００１８】
図３に示す如く、外部機器６も前記内部機器５と略対応する大きさの横長ブロック形状で、その外周形状が上記箱体３の表面板部１の取付用開口窓２の開口形状と等しいか或いは若干小さく形成されている。図３（ａ）に示す如く、外部機器６の表側部位１０は格子状の突出仕切枠部２２で複数の区画に分割されており、選択される所定の各区画に機能手段１３となる表示部１１及び操作部１２が配設されている。この場合、外部機器６は表示・操作用機器であり、表示部１１としてＬＥＤ表示灯が、操作部１２として押ボタンスイッチが、相互対となり各々複数横一列にして前記各区画に配設されている。
【００１９】
又、外部機器６の前記表側部位１０付近の外周側面には全周にわたる鍔状取付部１４が外側方へ一体に突設されており、この鍔状取付部１４より同表側部位１０は表方へ突出されるもので、この突出寸法が上記箱体３の表面板部１の厚さ寸法と略等しく設定され、同鍔状取付部１４の外縁形状はこの表面板部１の取付用開口窓２の開口形状よりも若干大きく形成されている。そして、外部機器６の長手方向両端部分には、鍔状取付部１４の裏面からテーパー状に外側方へ突出した係止凸部１５が配設されており、この係止凸部１５は上記箱体３の表面板部１の取付用開口窓２の開口縁部分で引っ掛かって抜け外れないように係合されるものである。
【００２０】
又、図３（ｂ）に示す如く、外部機器６の裏面側にはその周囲を囲むようにして後述の嵌合手段１６となる平面視横長長方形状の凸枠部１８が裏方へ一体に突設されており、この凸枠部１８は前記内部機器５の開口枠部１７の内側に表方から挿入嵌合されるものである。凸枠部１８にはその外側面に、後述の抜け止め手段１９となる周方向で複数の凸起２３が配置突設されている。そして、凸枠部１８で囲まれた範囲内でこの凸枠部１８の内側に近接するように、第二コネクタ８が外部機器６の裏面に設けられている。この第二コネクタ８は横長状で雄型のコネクタであり、前記内部機器５の第一コネクタ７に対向してこれに挿入結合され、電気的かつ機械的に接続されるものである。
【００２１】
ここで、図１（ａ）及び図４、５に基づいて、内部機器５と外部機器６とを直接接続して一体化する使用形態について説明する。まず、図４に示す如く、内部機器５と外部機器６とを嵌合手段１６を介して結合一体化する。その際、図５に示す如く、内部機器５側の嵌合手段１６となる開口枠部１７の内側に、外部機器６側の嵌合手段１６となる凸枠部１８が挿入嵌合される。開口枠部１７と凸枠部１８とは相対応した切欠段状に形成されており、挿入嵌合されるとき相互にかみ合うよう係合され、同時に、抜け止め手段１９となる係止孔２１と凸起２３とが相互に係合され、すなわち、開口枠部１７の切欠段状部分に貫通形成された係止孔２１の内側縁に凸枠部１８の切欠状部分の外側面に突出形成された凸起２３が引っ掛かり係止される。
【００２２】
前記のように内部機器５に外部機器６を一体化させると、これに伴って、第一コネクタ７と第二コネクタ８とは相互に位置合わせされて容易かつ確実に接続される。そして、図１（ａ）に示す如く、内部機器５を箱体３の内底部４に取着固定すると、外部機器６の鍔状取付部１４が同箱体３の表面板部１の取付用開口窓２の開口縁部分の裏側に当接位置決めされて、この取付用開口窓２内に同外部機器６の表側部位１０は嵌まり込むように納まって表方へ露出され、同表側部位１０に配設される機能手段１３を支障なく機能させることができる。
【００２３】
次に、図１（ｂ）及び図６、７に基づいて、内部機器５と外部機器６とをハーネス９を介して接続する使用形態について説明する。まず、図１（ｂ）に示す如く、内部機器５を箱体３の内底部４に取着固定し、その後に、同内部機器５にハーネス９を介して外部機器６を接続し、その際、このハーネス９は同箱体３の表面板部１の取付用開口窓部２を挿通されるものであり、そして、この外部機器６を同取付用開口窓部２に表方から嵌め込むようにして取着固定する。図６に示す如く、ハーネス９の両端部分には接続端子部２４が配設されており、一方の接続端子部２４としては内部機器５の第一コネクタ７に接続されるよう雄型が、他方の接続端子２４としては外部機器６の第二コネクタ８に接続されるよう雌型が、各々採用されている。
【００２４】
そして、外部機器６を箱体３の表面板部１の取付用開口窓部２に表方から嵌め込むと、鍔状取付部１４が同取付用開口窓部２の開口縁部分の表側に当接位置決めされ、その際、この開口縁部分には係止凸部１５が引っ掛かり係止される。この場合、外部機器６は、箱体３の表面板部１の取付用開口窓部２に表方へ抜け外れないよう確実に取着固定され、かつ、同取付用開口窓部２より奥方へ入り込まないよう所定位置にて支持される。それ故、図１（ｂ）、図７に示す如く、外部機器６の表側部位１０は箱体３の表面板部１の取付用開口窓部２から表方へ突出した状態が確保されて露出され、同表側部位１０に配設される機能手段１３を支障なく機能させることができる。
【００２５】
したがって、この実施形態の機器接続収容装置においては、箱体３の内底部４に取着固定される内部機器５と、同箱体３の表面板部１の取付用開口窓２に取着固定される外部機器６と、を分けて備えることになる。そして、箱体３の深さ寸法が浅いときには、図１（ａ）に示す如く、内部機器５の第一コネクタ７に外部機器６の第二コネクタ８を直接に電気的かつ機械的に接続することにより、両者を直接的に接続して一体化することができるため、機器（５、６）の組み込み接続作業は簡略化され、箱体３内での配線に要する手間とコストが削減される。
【００２６】
又、箱体３の深さ寸法が深いときには、図１（ｂ）に示す如く、内部機器５の第一コネクタ７と外部機器６の第二コネクタ８とをハーネス９を介して接続することにより、両者を電気的に支障なく接続することができる。このように、箱体３の深さ寸法の相違に応じて機器（５、６）の接続形態を簡単に選択採用することができ、利便性に優れたものとなっている。特に、ここでは、深さ寸法の最も浅い箱体３が施工される使用頻度の高いものであるため、前記内部機器５と外部機器６とを直接接続する形態が選択採用されて、箱体３内での配線に要する手間とコストは大幅に削減される。
【００２７】
又、この実施形態の機器接続収容装置においては、箱体３の表面板部１の取付用開口窓２に取着固定されて露出する外部機器６の表側部位１０に、表示部１１や操作部１２等の機能手段１３が配設されているため、この機能手段１３で表示させたり操作したりして機器（５、６）を機能させることができる。又、この場合に、外部機器６の表側部位１０付近の周囲に外側方へ突出した鍔状取付部１４が形成されているため、この鍔状取付部１４によって、箱体３の表面板部１に対し同外部機器６の表側部位１０は確実に位置決めされ、その周囲に生じる隙間も塞がれ、ゴミや埃等の侵入が防止されて美観にも優れたものとなる。
【００２８】
しかも、前記の場合に、鍔状取付部１４よりも表側部位１０が表方へ突設され、この表側部位１０の外形状が箱体３の表面板部１の取付用開口窓２の開口形状に略合致されているため、図１（ａ）に示す如く、内部機器５と外部機器６とを直接接続する形態として使用される際に、鍔状取付部１４が取付用開口窓２の開口縁部分の内側に当止位置決めされても、この取付用開口窓２から同表側部位１０は奥まることがなく、ここでの前記機能手段１３による表示視認性や操作性に優れたものとなる。そして、表側部位１０は取付用開口窓２内に略合致して係合され、その横ずれ動きが防止されてより確実に位置決めされる。
【００２９】
又、この実施形態の機器接続収容装置においては、外部機器６の外周側面に前記鍔状取付部１４の裏側位置で、箱体３の表面板部１の取付用開口窓２の開口縁部分と係合され得る形状の係止凸部１５が突設されているため、図１（ｂ）に示す如く、内部機器５と外部機器６とをハーネス９を介して接続する形態として使用される際に、この外部機器６を取付用開口窓２に表側から嵌め込むように取着固定することができ、その際、この取付用開口窓２の開口縁部分に係止凸部１５が係合されて、同外部機器６は抜け外れないよう確実に取着固定される。
【００３０】
又、この実施形態の機器接続収容装置においては、上記第一コネクタ７、第二コネクタ８以外に、図４、５に示す如く、内部機器５と外部機器６とを直接機械的に接続し得る嵌合手段１６が両者間に設けられているため、同第一コネクタ７及び第二コネクタ８には機械的接続による無理な力が加わらず、両者は機械的にも電気的にも信頼性をもって接続一体化される。
【００３１】
しかも、この場合、嵌合手段１６として内部機器５には開口枠部１７が、外部機器６には凸枠部１８が各々配設され、この凸枠部１８は同開口枠部１７と対向しその内部に嵌合されるため、第二コネクタ８が第一コネクタ７に対して位置合わせされスムーズかつ確実に接続される。更に、この場合、開口枠部１７の内周と凸枠部１８の外周との間に、両者相互の抜け外れを阻止する抜け止め手段１９が設けられているため、前記内部機器５と外部機器６とは相互に離脱しないよう確実に接続一体化されて、第一コネクタ７と第二コネクタ８との間における機械的及び電気的な接続の信頼性が向上される。
【００３２】
なお、上記実施形態では、箱体３として、合成樹脂等で分割して形成された表側部材３ａと裏側部材３ｂとを結合一体化した構成のものを示しているが、本願発明においては、例えば、箱体３が分電盤や配線分岐盤等として用いられる場合、同箱体３を鋼板製のものとしてもよく、この場合に、前面が開口した箱形状の裏側部材３ｂの同開口に、扉形状の表側部材３ａを開閉自在に枢支付設した構成としてもよい。
【００３３】
このような構成となる場合には、図１（ａ）に示す如く、内部機器５と外部機器６とを直接接続して一体化する使用形態にあって、扉形状の表側部材３ａを開けた状態で、裏側部材３ｂの内底部４に取着固定された内部機器５に対して外部機器６を結合一体化させ、その後に同表側部材３ａを閉じると、この表側部材３ａの取付用開口窓２が同外部機器６の表側部位１０に外嵌される。又、図１（ｂ）に示す如く、内部機器５と外部機器６とをハーネス９を介して接続する使用形態では、内部機器５を裏側部材３ｂの内底部４に取着固定すると共に、外部機器６を表側部材３ａの取付用開口窓２内に表方から嵌め込むように取着固定しておいて、扉形状の表側部材３ａを開けた状態で、同内部機器５と外部機器６とをハーネス９を介して接続することができる。
【００３４】
又、上記実施形態では、一つの箱体３に対して内部機器５と外部機器６とが一組だけ取着固定されるものとして説明したが、本願発明においては、一つの箱体３に内部機器５と外部機器６とが複数組配設されてもよく、この場合には、一つの取付用開口窓２に複数の外部機器６がまとめて取着固定されてもよいものである。又、内部機器５と外部機器６とは、必ずしも一対一で対応配置されなければならないものでなく、例えば、一つの内部機器５に対して複数の外部機器６が接続されたり、逆に、複数の内部機器５に対して一つの外部機器６が接続されたりしてもよいものである。
【００３５】
又、本願発明においては、相互に接続される内部機器５及び外部機器６以外に別の機器が箱体３に付設されてもよいものである。又、内部機器５或いは外部機器６に、第一コネクタ７、第二コネクタ８以外のコネクタが備わっていてもよいものであり、このような場合、複数のハーネス９を備えることにもなる。又、外部機器６の表側部位１０に配設される機能手段１３としては、表示部１１や操作部１２の他、スピーカのような発音部が設けられてもよいものであり、これ等表示部１１や操作部１２や発音部のうちの一つが単独で設けられてもよいものであり、同外部機器６の表側部位１０は何らかの機能を果たすために箱体３の外部に露出される必要性を有するものであればよいものである。
【００３６】
【発明の効果】
本願請求項１記載の機器接続収容装置においては、箱体が浅いときに外部機器の第二コネクタを内部機器の第一コネクタに直接接続することで、機器の組み込み接続作業は簡略化され、配線に要する手間とコストが削減される。又、箱体が深いときには、内部機器の第一コネクタと外部機器の第二コネクタとをハーネスを介して支障なく接続することができる。このように、箱体深さの相違に応じて機器の接続形態を簡単に選択採用することができ、特に、最も浅い箱体が使用頻度の高いものであると、前記配線に要する手間とコストは大幅に削減される。
【００３７】
本願請求項２記載の機器接続収容装置においては、特に、鍔状取付部で外部機器の表側部位が箱体の表面板部に対して確実に位置決めされ、その周囲に生じる隙間は塞がれ、ゴミや埃等の侵入が防止されて美観にも優れたものとなる。しかも、内部機器と外部機器とを一体化して使用する際に、鍔状取付部が取付用開口窓の開口縁部分の内側に当止位置決めされても、この取付用開口窓から同表側部位は奥まることがなく、表示視認性や操作性等に優れたものとなり、その際、表側部位は取付用開口窓に略合致してより確実に位置決めされる。
【００３８】
本願請求項３記載の機器接続収容装置においては、特に、内部機器と外部機器とをハーネスを介して接続使用する際に、外部機器を取付用開口窓に表側から嵌め込むように取着固定することができ、この取付用開口窓の開口縁部分には係止凸部が係合されて、同外部機器は抜け外れないよう確実に取着固定される。
【００３９】
本願請求項４記載の機器接続収容装置においては、特に、第一、第二コネクタ以外に、内部機器と外部機器とを直接機械的に接続し得る嵌合手段が設けられていて、同第一、第二コネクタには無理な力が加わらず、両者は機械的及び電気的に信頼性をもって接続一体化される。
【００４０】
本願請求項５記載の機器接続収容装置においては、特に、嵌合手段として内部機器に開口枠部が、外部機器に凸枠部が各々配設され、この凸枠部は同開口枠部と対向してその内部に嵌合され、第二コネクタが第一コネクタに対して位置ずれなくスムーズかつ確実に接続される。
【００４１】
本願請求項６記載の機器接続収容装置においては、特に、開口枠部の内周と凸枠部の外周との間に設けられる抜け止め手段で内部機器と外部機器とが確実に接続一体化されて、第一、第二コネクタ間の機械的及び電気的な接続の信頼性はより高められる。
【図面の簡単な説明】
【図１】本願発明の一実施形態である機器接続収容装置を示し、（ａ）はその一体化した使用形態での断面図、（ｂ）はそのハーネスを介した使用形態での断面図。
【図２】同機器接続収容装置における内部機器を示す斜視図。
【図３】同機器接続収容装置における外部機器を示し、（ａ）はその表側からみた斜視図、（ｂ）はその裏側からみた斜視図。
【図４】同機器接続収容装置における内部機器と外部機器とを一体化した状態を示す斜視図。
【図５】同機器接続収容装置における内部機器と外部機器とを一体化する動作状態を示す要部断面図。
【図６】同機器接続収容装置における内部機器と外部機器とをハーネスを介して接続する状態を示す分解斜視図。
【図７】同機器接続収容装置におけるハーネスを介した使用形態での外観を示す表側からみた要部斜視図。
【図８】従来技術である内器装置収容構造を示し、（ａ）はその薄型とした使用形態での断面図、（ｂ）はその厚型とした使用形態での断面図。
【図９】同内器装置収容構造における厚型とした使用形態での内器装置の支持状態を示す斜視図。
【図１０】別の従来技術である実開平５−１１６０７号公報のロビーインターホンを示す分解斜視図。
【符号の説明】
１  表面板部
２  取付用開口窓
３  箱体
４  内底部
５  内部機器
６  外部機器
７  第一コネクタ
８  第二コネクタ
９  ハーネス
１０  表側部位
１１  表示部
１２  操作部
１３  機能手段
１４  鍔状取付部
１５  係止凸部
１６  嵌合手段
１７  開口枠部
１８  凸枠部
１９  抜け止め手段
【図１】
2004320966.tif 000003
【図２】
2004320966.tif 000004
【図３】
2004320966.tif 000005
【図４】
2004320966.tif 000006
【図５】
2004320966.tif 000007
【図６】
2004320966.tif 000008
【図７】
2004320966.tif 000009
【図８】
2004320966.tif 000010
【図９】
2004320966.tif 000011
【図１０】
2004320966.tif 000012